(57)【特許請求の範囲】
【請求項１】
バルブステムガイド（２）の外周側に取り付けられるバルブステムシール（１）の金属製取付環（３）の内周面にゴム状弾性材製の内周嵌合部（６）を設け、前記内周嵌合部（６）の内周面に軸方向に並ぶ複数の嵌合突起（７）（８）を設けてなるバルブステムシールにおいて、
前記複数の嵌合突起（７）（８）のうちの一つの嵌合突起（８）を複数の切欠（９）を設けて円周上分割したものとし、
前記分割した嵌合突起（８）の密封流体側に、円周上連続して前記バルブステムガイド（２）の全周に密接する嵌合突起（７）を設け、
前記分割した嵌合突起（８）は、前記バルブステムガイド（２）の外周面に予め設けた係合凹部（１０）に係合することを特徴とするバルブステムシール。
【発明の詳細な説明】
【０００１】
【発明の属する技術分野】
本発明は、バルブステムシールに関するものである。
【０００２】
【従来の技術】
従来から、金属製取付環を備えたリップシールの一種として、図５および図６に示すバルブステムシール５１が知られており、このバルブステムシール５１は以下のように構成されている。
【０００３】
すなわち、取付部材であるバルブステムガイド５２の外周に取り付けられる金属製の取付環５３が設けられており、この取付環５３にゴム状弾性材製の弾性体５４が加硫接着されており、この弾性体５４によって、バルブステム（図示せず）の周面に摺動自在に密接するシールリップ５５と、バルブステムガイド５２の外周面に嵌合される内周嵌合部５６とが一体成形されている。内周嵌合部５６は取付環５３の内周面に加硫接着されており、この内周嵌合部５６の内周面に、バルブステムガイド５２の外周面に密接する嵌合突起５７，５８が二本、軸方向に並んで設けられている。
【０００４】
しかしながら、上記従来のバルブステムシール５１においては、上記二本の嵌合突起５７，５８のうち、装着方向前方側（図上下側）に位置する２段目の嵌合突起５８が円周上連続するものとして環状に形成されているために、図６に示したように、嵌合途中の状態においてバルブステムガイド５２の周面に大きな荷重がかかり、圧入荷重が増大する。したがって、安定したシール５１の挿入が困難であり、シール５１の中心軸線がガイド５２の中心軸線に対して傾斜した状態の所謂傾斜嵌合等が発生する虞がある。
【０００５】
【発明が解決しようとする課題】
本発明は以上の点に鑑みて、バルブステムシールをバルブステムガイドに挿入し易く、併せて、バルブステムシールおよびバルブステムガイド間を有効にシールすることができるバルブステムシールを提供することを目的とする。
【０００６】
【課題を解決するための手段】
上記目的を達成するため、本発明の請求項１によるバルブステムシールは、バルブステムガイドの外周側に取り付けられるバルブステムシールの金属製取付環の内周面にゴム状弾性材製の内周嵌合部を設け、前記内周嵌合部の内周面に軸方向に並ぶ複数の嵌合突起を設けてなるバルブステムシールにおいて、前記複数の嵌合突起のうちの一つの嵌合突起を複数の切欠を設けて円周上分割したものとし、前記分割した嵌合突起の密封流体側に、円周上連続して前記バルブステムガイドの全周に密接する嵌合突起を設け、前記分割した嵌合突起は、前記バルブステムガイドの外周面に予め設けた係合凹部に係合することを特徴とするものである。
【０００７】
【０００８】
【０００９】
上記構成を備えた本発明の請求項１によるバルブステムシールにおいては、内周嵌合部の内周面に設けられる複数の嵌合突起のうちの一つの嵌合突起が複数の切欠を設けられて円周上分割したものとされているために、この分割した嵌合突起は弾性変形し易く、嵌合荷重を低減させることが可能となる。また併せて、この分割した嵌合突起の密封流体側に、円周上連続してバルブステムガイドの全周に密接する嵌合突起が設けられているために、この嵌合突起によってバルブステムシールおよびバルブステムガイド間をシールすることが可能となる。
【００１０】
またこれに加えて、上記分割した嵌合突起が、バルブステムガイドの外周面に予め設けた係合凹部に係合する構成であるために、この嵌合突起が弾性変形し易く嵌合荷重を低減させ得るものであっても、抜け止め効果を発揮する。
【００１１】
【００１２】
尚、本件出願には、以下の技術的事項が含まれる。
【００１３】
すなわち、上記目的を達成するため、本件出願が提案する一のバルブステムシールは以下の内容を備えている。
【００１４】
（１）バルブステムシールの内周嵌合部の２段目突起に等配溝が設けられており、相手側ガイドに圧入した場合に溝部の抵抗がないため、低い荷重での圧入が可能となる。
（２）突起を複数設け、溝部に嵌合する突起にのみ等配溝を設け、残りの突起の少なくとも一つ以上の突起を環状に連続させることによりシール性を図る。
（３）バルブステムシールの内周嵌合部の２段目突起に等配溝が設けられており、相手側ガイドに圧入した場合に溝部の抵抗がないため、ガイド外周面に対するゴムの圧力が低減する。ガイド外周面への圧力が低減することによって、相手ガイドに対するシールの嵌合力が低減され、低い嵌合力での圧入が可能となる。低嵌合の利点として、圧入が容易、安定したシールの嵌合（シールの傾斜取付防止）が可能、等が挙げられる。尚、等配溝の数は限定しない。
（４）２段の突起があり、上の突起は油をシールし、下の突起は相手側ガイド溝に入り込み、嵌合力を増大させる。よってこの構成によれば、２段目の突起に等配溝を設けてもシール性に影響がない。
【００１５】
【発明の実施の形態】
つぎに本発明の実施例を図面にしたがって説明する。
【００１６】
図１は、本発明の実施例に係るバルブステムシールの断面を示している。
【００１７】
当該実施例に係るバルブステムシールは、リップシールの一種であるバルブステムシール１であって、以下のように構成されている。
【００１８】
すなわち先ず、取付部材としてのバルブステムガイド２（図３または図４参照）の外周に取り付けられる金属製の取付環（金属環）３が設けられており、この取付環３にゴム状弾性材製の弾性体４が加硫接着されており、この弾性体４によって、バルブステム（図示せず）の外周面に摺動自在に密接するシールリップ５と、バルブステムガイド２の外周面に嵌合される内周嵌合部６とが一体成形されている。内周嵌合部６は取付環３の内周面に加硫接着されており、この内周嵌合部６の内周面に、バルブステムガイド２の外周面に密接する嵌合突起７，８が二本、軸方向に並んで設けられている。
【００１９】
上記二本の嵌合突起７，８のうち、装着方向前方側（図上下側）に位置する２段目の嵌合突起８は、図２に示すように複数の切欠９が設けられることによって円周上分割したものとして形成されている。切欠９は、軸方向に延びる溝状を呈し、図上四箇所に等配状に設けられており、よって嵌合突起８が円周上四分割されている。但し、切欠９の形状や形成数、突起８の分割数は限定されるものではない。
【００２０】
また、上記二本の嵌合突起７，８のうち、装着方向後方側（図上上側）に位置する密封流体側の１段目の嵌合突起７は、円周上連続するものとして環状に形成されている。
【００２１】
上記構成のバルブステムシール１は、図３に示すようにバルブステムガイド２の外周にその先端側から圧入されるものであって、上記構成により以下の作用効果を奏する点に特徴を有している。尚、バルブステムガイド２の外周面には、環状の係合凹部１０が予め設けられており、この係合凹部１０はその内面のうちのバルブステムガイド２の先端側に軸直角係合面１０ａを有している。
【００２２】
すなわち先ず、上記したように内周嵌合部６の内周面に設けられた二本の嵌合突起７，８のうちの装着方向前方側の嵌合突起８が複数の切欠９を設けられることによって円周上分割したものとされているために、この嵌合突起８は当該シール１の装着作業時に容易に弾性変形して拡径し、嵌合荷重が比較的小さく設定されている。したがって、二本の嵌合突起７，８が何れも円周上連続するものとして環状に形成されている場合と比較して、当該シール１をバルブステムガイド２の外周に容易に圧入することができる。
【００２３】
また、この分割された装着方向前方側の嵌合突起８の密封流体側に、円周上連続するものとして環状に形成された装着方向後方側の嵌合突起７が設けられているために、この嵌合突起７は、図４に示すように装着作業の完了後、バルブステムガイド２の外周面に対して全周に亙って密接する。したがって、この嵌合突起７によって当該シール１およびバルブステムガイド２間を有効にシールすることができる。
【００２４】
また、上記分割された装着方向前方側の嵌合突起８が図４に示すように装着作業の完了後、バルブステムガイド２の外周面に予め設けられた環状の係合凹部１０の係合面１０ａに対して軸方向に係合するために、この嵌合突起８は上記したように当該シール１の装着作業時に容易に弾性変形するものであっても、十分な抜け止め効果を発揮する。したがって、当該シール１はバルブステムガイド２の外周に圧入し易く、その一方で同時にバルブステムガイド２から抜けにくいものである。
【００２５】
【発明の効果】
本発明は、以下の効果を奏する。
【００２６】
すなわち、上記構成を備えた本発明の請求項１によるバルブステムシールにおいては、内周嵌合部の内周面に設けられる複数の嵌合突起のうちの一つの嵌合突起が複数の切欠を設けられて円周上分割したものとされているために、この嵌合突起は弾性変形し易く、嵌合荷重を低減させることができる。したがって、当該バルブステムシールをバルブステムガイドの外周に容易に挿入することができる。
【００２７】
また併せて、上記分割した嵌合突起の密封流体側に、円周上連続してバルブステムガイドの全周に密接する嵌合突起が設けられているために、この嵌合突起によって当該バルブステムシールおよびバルブステムガイド間を有効にシールすることができる。
【００２８】
またこれに加えて、上記分割した嵌合突起が、バルブステムガイドの外周面に予め設けられた係合凹部に係合する構成とされているために、この嵌合突起は弾性変形し易く嵌合荷重を低減させ得るものであっても、抜け止め効果を発揮する。したがって、当該シールはバルブステムガイドの外周に挿入し易く、かつバルブステムガイドから抜けにくいものである。
【００２９】
【図面の簡単な説明】
【図１】  本発明の実施例に係るバルブステムシールの断面図
【図２】  切欠の配置説明図
【図３】  同バルブステムシールの圧入方向（圧入方法）を示す断面図
【図４】  同バルブステムシールの圧入完了状態（装着状態）を示す断面図
【図５】  従来例に係るバルブステムシールの断面図
【図６】  同バルブステムシールの圧入方向（圧入方法）を示す断面図
【符号の説明】
１  バルブステムシール
２  バルブステムガイド
３  取付環
４  弾性体
５  シールリップ
６  内周嵌合部
７，８  嵌合突起
９  切欠
１０  係合凹部
１０ａ  係合面
【図１】
0004092548.tif 000002
【図２】
0004092548.tif 000003
【図３】
0004092548.tif 000004
【図４】
0004092548.tif 000005
【図５】
0004092548.tif 000006
【図６】
0004092548.tif 000007